(57)【要約】【課題】植物の根の生育状況を計測する植物栽培装置と、植物生育監視装置及び管理装置を提供する。【解決手段】根が生育するスペース内の根の生育状況を計測するための計測手段を備えた植物栽培装置であって、栽培ベッド槽３の底面が透明パネル８にて構成されている。栽培ベッド槽３と暗箱１０との間のゾーン１１に撮影機材を配置し、生育スペース７内の根の生育状況を撮影して計測する。計測された根の生育状況に応じて植物の栽培条件を制御する。【選択図】図２
2019180272.tif 000002
【特許請求の範囲】
【請求項１】
根が生育するスペースを有する植物栽培装置において、
該スペース内の根の生育状況を計測するための計測手段を備えたことを特徴とする植物栽培装置。
【請求項２】
透明部材を介して前記スペースと隔てられたゾーンを有しており、前記計測手段として該ゾーンに配置される撮影手段を備えた請求項１の植物栽培装置。
【請求項３】
前記透明部材は、前記スペースの底面の少なくとも一部を構成する透明パネルである請求項２の植物栽培装置。
【請求項４】
前記透明部材は、前記スペース外からスペース内にまで延在する管状体である請求項２の植物栽培装置。
【請求項５】
前記計測手段は、植物の根の重量の測定手段である請求項１の植物栽培装置。
【請求項６】
前記植物栽培装置は、植物の培地を支持する支持部を備えており、前記重量測定手段は該培地から伸びた根の重量を測定するように配置されている請求項５の植物栽培装置。
【請求項７】
前記計測手段は、植物の全体の重量を測定する重量測定手段と、植物の根よりも上側部分の重量標準値の記憶手段と、該重量測定手段の測定重量から該記憶手段の重量標準値を減算して根重量を算出する算出手段とを有する請求項１の植物栽培装置。
【請求項８】
前記計測手段は、超音波により計測を行う請求項１の植物栽培装置。
【請求項９】
前記計測手段は、電磁波により計測を行う請求項１の植物栽培装置。
【請求項１０】
前記植物栽培装置は、栽培ベッドの上に、植え穴を穿設した定植パネル板を配置し、該植え穴を通して苗根培地を該栽培ベッド上に載置し、該栽培ベッドの底面の上面側に前記養液を供給して植物を栽培する水耕栽培装置である請求項１〜９のいずれかの植物栽培装置。
【請求項１１】
前記植物栽培装置は、薄膜水耕栽培装置である請求項１０の植物栽培装置。
【請求項１２】
植物の根の生育状況の計測手段と、
植物の根の標準生育データの記憶手段と、
前記植物栽培装置の計測データと標準生育データとを対比する対比手段と
を有する植物生育監視装置。
【請求項１３】
前記対比手段による対比の結果、計測データと標準生育データとの乖離が所定値以上であるときに警報を発生させる警報発生手段を備えた請求項１２の植物生育監視装置。
【請求項１４】
植物の根の生育助教の計測手段と、
計測された根の生育状況に応じて植物の栽培条件を制御する制御手段と
を有する植物生育管理装置。
【請求項１５】
前記栽培条件は、養液及び／又は水の組成、養液及び／又は水の供給量、雰囲気の組成、雰囲気の流れ、雰囲気の温度、光、及び農薬の少なくとも１つである請求項１４の植物生育管理装置。
【発明の詳細な説明】
【技術分野】
【０００１】
本発明は、植物栽培装置、植物生育監視装置及び植物生育管理装置に関する。
【背景技術】
【０００２】
土に代わり、養液を用いて植物を栽培する水耕栽培法を用いた食糧生産システムは、天候や気候の影響がなく収穫量を安定させることができ、農薬を必要としない安全な果菜を育てることができるなど、新たな食糧生産システムとして注目されている。しかしながら、潅水、照明、空調などの設備投資が必要となり、従来の生産システムと比較すると高コストとなるため、実用化に向けた課題が残されている。
【０００３】
特許文献１（特開２０００−９３０１０号公報）には、空調システムのランニングコストを低減するものとして、栽培植物を栽培する温室内を空調する植物工場における空調システムにおいて、蓄冷熱槽内の水を夜間電力で冷却して蓄冷し、その蓄冷熱槽内の冷水を充填式空調機に導入し、他方、温室内に設置した栽培植物の栽培棚の周囲を間仕切り壁にて局所的に仕切り、その間仕切り壁にて仕切った局所空間に浸み出しダクトと還気ダクトを設け、その還気ダクトから局所空間内の空気を吸引して上記充填式空調機に導入すると共に上記冷水と熱交換し、その熱交換後の冷却空気を浸み出しダクトに供給して局所空間を空調することを特徴とする植物工場における空調システムが開示されている。
【０００４】
また、特許文献２（特開２０１５−１４２５４７号公報）には、電力コスト及び肥料コストを抑えるために、宿主植物のクロロフィル量を増加する作用を有する水生植物根圏微生物を少なくとも１種含む植物成長強化剤を栽培植物の根に施用して当該植物を栽培する水耕栽培方法が開示されている。
【先行技術文献】
【特許文献】
【０００５】
【特許文献１】特開２０００−９３０１０号公報
【特許文献２】特開２０１５−１４２５４７号公報
【発明の概要】
【発明が解決しようとする課題】
【０００６】
このように、水耕栽培法の低コスト化を実現するため、さまざまな提案がなされている。本発明は、植物の異常を早期に発見し、必要な栽培環境の制御を早い段階で的確に行うことにより、収量を安定させることができると知見に基づくものである。そして、根の計測により得られる情報が、植物の成長度合いを知るうえで最も的確であるという知見に基づくものである。植物の根は、通常、培地や栽培容器に覆われるため、視覚的に観察が難しい。また、培地を取り除くことにより根を傷つける恐れがある。そのため、実用レベルの大規模な植物栽培設備において、根の観測を行うことは難しく、多くの栽培植物は、葉や茎などの地上部のみが観測されてきた。
【０００７】
本発明は、植物の根の生育状況を計測する植物栽培装置を提供することを目的とする。また、本発明は、植物の根の生育状況計測データに基づく異常を知らせる警報発生手段や、植物の栽培条件を制御する制御手段を備えることにより、栽培にかかる工数を大幅に軽減できる植物生育監視装置及び管理装置を提供することを目的とする。
【課題を解決するための手段】
【０００８】
本発明の植物栽培装置は、根が生育するスペースを有する植物栽培装置において、該スペース内の根の生育状況を計測するための計測手段を備える。
【０００９】
本発明の一態様では、透明部材を介して前記スペースと隔てられたゾーンを有しており、前記計測手段として該ゾーンに配置される撮影手段を備える。
【００１０】
本発明の一態様では、前記透明部材は、前記スペースの底面の少なくとも一部を構成する透明パネルである。
【００１１】
本発明の一態様では、前記透明部材は、前記スペース外からスペース内にまで延在する管状体（透明パイプ）である。
【００１２】
本発明の一態様では、前記計測手段は、植物の根の重量の測定手段である。
【００１３】
本発明の一態様では、前記植物栽培装置は、植物の培地を支持する支持部を備えており、前記重量測定手段は該培地から伸びた根の重量を測定するように配置されている。
【００１４】
本発明の一態様では、前記計測手段は、植物の全体の重量を測定する重量測定手段と、植物の根よりも上側部分の重量標準値の記憶手段と、該重量測定手段の測定重量から該記憶手段の重量標準値を減算して根重量を算出する算出手段とを有する。
【００１５】
本発明の一態様では、前記計測手段は、超音波により計測を行う。
【００１６】
本発明の一態様では、前記計測手段は、電波により計測を行う。
【００１７】
本発明の一態様では、前記植物栽培装置は、栽培ベッドの上に、植え穴を穿設した定植パネル板を配置し、該植え穴を通して苗根培地を該栽培ベッド上に載置し、該栽培ベッドの底面の上面側に前記養液を供給して植物を栽培する水耕栽培装置である。
【００１８】
本発明の一態様では、前記植物栽培装置は、薄膜水耕栽培装置である。
【００１９】
本発明の植物生育監視装置は、植物の根の生育状況の計測手段と、植物の根の標準生育データの記憶手段と、前記植物栽培装置の計測データと標準生育データとを対比する対比手段とを有する。
【００２０】
本発明の一態様では、前記対比手段による対比の結果、計測データと標準生育データとの乖離が所定値以上であるときに警報を発生させる警報発生手段を備える。
【００２１】
本発明の植物生育管理装置は、植物の根の生育助教の計測手段と、計測された根の生育状況に応じて植物の栽培条件を制御する制御手段とを有する。
【００２２】
本発明の一態様では、前記栽培条件は、養液及び／又は水の組成、養液及び／又は水の供給量、雰囲気の組成、雰囲気の流れ、雰囲気の温度、光、及び農薬の少なくとも１つである。
【発明の効果】
【００２３】
本発明は、植物の異常を早期に発見し、必要な栽培環境の制御を早い段階で的確に行うことにより、収量を安定させることができると知見に基づくものである。そして、根の計測により得られる情報が、植物の成長度合いを知るうえで最も的確であるという知見に基づくものである。本発明によると、植物の根の生育状況を計測したり、監視したりすることができる。また、計測された生育状況に応じて、栽培条件を調節したりする栽培管理を行うことができる。また、本発明によると、植物の根の生育状況計測データに基づく異常を知らせる警報発生手段や、植物の栽培条件を制御する制御手段を備えることにより、栽培にかかる工数を大幅に軽減することができる。
【図面の簡単な説明】
【００２４】
【図１】栽培ベッドの斜視図である。
【図２】栽培ベッドの断面図である。
【図３】栽培ベッドの断面図である。
【図４】栽培ベッドの断面図である。
【図５】栽培ベッドの断面図である。
【図６】栽培ベッドの断面図である。
【図７】植物の栽培管理システムのブロック図である。
【図８】栽培管理装置のブロック図である。
【図９】栽培ベッドの断面図である。
【図１０】栽培ベッドの断面図である。
【図１１】栽培ベッドの断面図である。
【発明を実施するための形態】
【００２５】
以下、図面を参照して実施の形態について説明する。図１は養液を用いた薄膜水耕栽培装置に用いられる栽培ベッド槽の斜視図、図２はその縦断面図である。
【００２６】
図１，２の通り、軽量な発泡スチロールで成型される定植パネル板１には多数（好ましくは１０個以上、例えば１０〜１５０個）の植え穴２が穿設されている。定植パネル板１の大きさは、一例を示すと幅６００ｍｍ、奥行き１０００ｍｍ，厚み３５ｍｍである。植え穴２の大きさは使用される苗根鉢４の径よりも大きくする。植え穴２の間隔は、作物栽培上適正な間隔に決める。例えばホウレンソウの場合は、定植パネル板１の大きさが上記のとおりとすると、直径２７ｍｍの円筒状の植え穴２を１１８ｍｍの間隔で総数４５個菱形状に配列する。
【００２７】
上記した定植パネル板１が栽培ベッド槽３に載置され、辺縁部が段部３ａに載置される。栽培ベッド槽３は、底面が透明パネル８にて構成されている。
【００２８】
図２に示すように、栽培ベッド槽３に定植パネル板１を被せ、苗根鉢４を植え穴２から落し込む。苗根鉢４は、植え穴２の真下に対峙する栽培ベッド槽３の上に載置される。ついで養液Ｌを栽培ベッド槽３の上流側より下流側へ向けて流す。定植パネル板１下面と溝内養液Ｌの液面との間には根の生育スペース７が形成される。
【００２９】
このように、定植パネル板１下面と溝内養液Ｌの液面との間に形成される、根の生育スペース７には、湿気中に維持され多数の根毛を有する湿気中根が生育し、主に酸素を吸収する。一方、液面下の養液Ｌ中には水中根が生育し、主に養液中の肥料と水を吸収する。これにより、水中根及び湿気中根という２つの異なる形態ないし機能を持った根を発生させることができる。これらの根の生育状況を観察もしくは計測することにより、植物の異常を早期に発見し、必要な栽培環境の制御を早い段階で的確に行うことができる。
【００３０】
ベッド槽３の側壁の内面３ｂの高さは、３〜１００ｍｍが好ましく、５〜２０ｍｍがさらに好ましい。側壁内面３ｂの高さの下限値が、このような範囲にあることにより、根が生育するスペースＬ、すなわち、湿気中根の生育スペースを十分に確保することができる。また、側壁内面３ｂの高さの上限値が、このような範囲にあることにより、苗根鉢４上部の植物地上部（茎・葉）が、適切に光の照射を受けることができる。
【００３１】
なお、図２及び後述の図３，４，６では、栽培ベッド槽３の底面は平坦となっているが、図９のように、栽培ベッド槽３の底面に凸条６を設け、苗根鉢４を該凸条６上に載置してもよい。図１０のように、２条以上の細幅の凸条６Ａを設け、その上に苗根鉢４を載置してもよい。図１１のように、苗根鉢４の列の間に凸条６Ｂを設けてもよい。図９〜１１のその他の構成は図２，３，４，６と同一である。後述の図５の態様においても、苗根鉢４の列の間に図１１と同様の凸条６Ｂを設けてもよい。なお、凸条６は、前記勾配方向に延在した凸条であって、植物栽培装置は、凸条同士の間を構成する凹条を養液が流下する形態とすることが好ましい。
【００３２】
図３，４，６，１０，１１のように、苗根鉢が養液に浸る場合、養液Ｌの液深は、苗根鉢４の下部が浸る程度、すなわち、苗根鉢の下部から１〜５０ｍｍ程度であることが好ましい。
【００３３】
図１０のように、２条の凸条６Ａ上に苗根鉢４を載置する場合、凸条６Ａの幅は、使用する苗根鉢４の直径よりも小さく、苗根鉢４の直径に対して２条以上の凸条を有することがより好ましい。
【００３４】
図９では、定植パネル板１の植え穴２の真下に当たる栽培ベッド槽３の底面箇所に、長手方向に連続する凸条６が複数列形成されている。凸条６に整流されて養液Ｌが流下する。
【００３５】
凸条６，６Ａの高さは養液Ｌの液深との関係で決められる。望ましくは、凸条６，６Ａの高さは養液Ｌの底面よりも約２〜５ｍｍ程度高いものである。また、望ましくは、凸条６，６Ａの幅（図１０の場合は、左側の凸条６Ａの左側辺から右側の凸条６Ａの右側辺までの距離）は使用する苗根鉢４の直径よりも大きく、苗根鉢４の直径に対して４ｍｍ加えた幅よりも小さい。凸条６，６Ａの高さが上記の下限値の範囲であると、凸条６，６Ａの上に載置した苗根鉢４が養液Ｌで洗われる虞が減り好ましい。一方、凸条６，６Ａの高さが上記の上限値の範囲であると、苗根鉢４と養液Ｌの液面との距離が近づくため、栽培される植物の水中根が養液Ｌへ到達しやすくなり、苗根鉢４への水分供給が適切に行われ成育上、好ましい。凸条６，６Ａの幅が苗根鉢４の直径より十分な幅を確保することにより、苗根鉢４が畝状凸条６，６Ａからずれ落ちて傾くことを防ぐことができ好ましい。また、凸条６，６Ａの幅が苗根鉢４の直径に対し、大きすぎると、水中根が養液Ｌに到達する距離も大きくなるため、苗根鉢４への水分供給が適切に行われるために、凸条６，６Ａの幅は上述の範囲内であることが好ましい。
【００３６】
好ましくは、複数個の栽培ベッド槽３を長手方向に連設し、約１／５０〜１／１５０程度の勾配となるように設置する。このように、緩やかな勾配を持つ平面上に養液を薄く流下させる薄膜水耕栽培（ＮＦＴ）に用いられる装置とすることにより、湿気中根の生育スペースを確保することができ、植物への酸素供給が容易となる。また、養液を循環させる流動方式であるため、静置方式と比較すると養液が汚染しにくい利点がある。また、湛液水耕（ＤＦＴ）と比較すると、使用する水量が少なく養液供給設備を小さくできる利点がある。
【００３７】
図２に示すように、この栽培ベッド槽３は上開の暗箱１０上に載置される。暗箱１０と栽培ベッド槽３との間が、根の生育状況を撮影するための撮影機材の挿入用のゾーン１１となっている。該ゾーン１１にカメラ等の撮影機材を配置しておくか、又は撮影機材を該ゾーン１１内を移動させ、連続的又は定期的に根を撮影する。なお、撮影用の照明をゾーン１１内に配備しておいてもよく、撮影基材に照明を設けておき、該基材と一緒にゾーン１１内を移動させてもよい。
【００３８】
ゾーン１１内に該基材の移動を案内する案内部材を設けておいてもよい。
【００３９】
なお、撮影機材の代わりに光ファイバーを差し込み、該光ファイバーを介して撮影を行うようにしてもよい。
【００４０】
図１，２では、栽培ベッド槽３の底面のほぼ全体を透明パネル８にて構成しているが、底面に部分的に透明部を設けてもよい。図１，２では、底面を透明としているが、定植パネル板１の一部を透明としてもよい。この場合、透明部分に遮光部材を設けておき、撮影時に遮光部材を除去する。
【００４１】
図３に別の実施の形態を示す。図３は、根の生育スペース７に透明パイプ１２を配設した栽培ベッド槽３Ａを示している。透明パイプ１２は、苗根鉢４の間を凸条６と平行方向に延設されている。透明パイプ１２の末端は、栽培ベッド槽３Ａ外に延出している。この栽培ベッド槽３Ａ外に延出した部分は、スペース７内に光が入らないようにするために、不透明パイプよりなることが好ましい。
【００４２】
この透明パイプ１２内が撮影機材挿入用ゾーンであり、該透明パイプ１２内に照明を有した撮影機材や、光ファイバー等を差し込んで根の生育状況を撮影する。延出せず、内部に撮影機材等を定置してもよい。
【００４３】
この図３の場合、栽培ベッド槽３Ａは底面も不透明となっており、栽培ベッド槽３Ａの全体を発泡スチロール等の安価な材料にて構成することができる。また、暗箱１０は不要である。
【００４４】
図３のその他の符号は図１，２と同一部分を示している。
【００４５】
本発明では、根の重量を計測することにより、根の生育状況を計測してもよい。
【００４６】
図４は、そのための栽培ベッド槽の一例を示している。図４では、栽培ベッド槽３Ｂの底面に受圧プレート１５が配置され、該受圧プレート１５の下側に感圧素子１６が設置されている。感圧素子１６が検出する圧力により、プレート１５に栽荷された根の重量を検出することができる。
【００４７】
図５では、定植パネル板１Ｃの植え穴２Ｃをテーパ状とし、苗根鉢４Ｃを逆円錐台形とし、苗根鉢４Ｃが植え穴２Ｃに嵌まって宙吊り状に支持されるよう構成している。苗根鉢４Ｃの下部は、定植パネル板１Ｃから下方の生育スペース７に突出している。この苗根鉢４Ｃから伸び出した根が栽培ベッド槽３Ｃの底面に重なる。すなわち、植え穴２Ｃが植物の培地を支持する支持部となっている。
【００４８】
定植パネル板１Ｃと、植物体のうち根以外の部分と、苗根鉢４Ｃとの合計の重量Ｗ１が重量センサ２０により検出される。栽培ベッド槽３Ｃと、定植パネル板１Ｃと、苗根鉢４Ｃと、根を含む植物体と、栽培ベッド槽３上を流れる養液との合計の重量Ｗ２が重量センサ２１により検出される。
【００４９】
栽培ベッド槽３の重量及び養液の重量は、既知であるので、根の重量をＷ２−Ｗ１−（栽培ベッド槽３の重量）−（養液重量）により求められることができる。
【００５０】
なお、一部の根は苗根鉢４Ｃに宙吊り状になっており、その重量は苗根鉢４Ｃを介して重量センサ２０によって検知されるが、大部分の根は栽培ベッド槽３Ｃの底面に載荷状となっているので、実質的な根の重量はこの方法により計測される。
【００５１】
図６は、超音波エコーによって根の量を計測するようにしたものである。超音波発信器及び受信器よりなる超音波式計測器２６が栽培ベッド槽３Ｃの底面の下面に設置されている。超音波発信器からの超音波が根に当って反射したエコーを受信器で受信する。予め求めておいた根の量（重量又は容積）と反射エコー強度との検量線に基づいて、根の量を計測することができる。
【００５２】
図６では超音波を用いるものとしたが、電磁波であってもよい。
【００５３】
本発明では、上記のようにして計測した根の撮影データ、又は重量又は容積データに基づいて栽培を監視したり管理したりすることができる。
【００５４】
本発明の植物生育監視装置は、本発明の植物栽培装置に、さらに栽培を監視する手段を有するものである。具体的には、植物の根の生育状況の計測手段と、植物の根の標準生育データの記憶手段と、前記植物栽培装置の計測データと標準生育データとを対比する対比手段とを有する。
【００５５】
植物生育監視装置が前記警報発生手段を有する場合、警報は、圃場内において発生され、栽培作業者に知らせるためのものであってもよい。また、警報は、圃場から遠隔地にある管理場所において発生するよう遠隔通信機能を有するものであってもよい。
【００５６】
本発明の植物生育管理装置は、本発明の植物栽培装置に、さらに植物の栽培条件を制御する制御手段を有する。具体的には、植物の根の生育状況の計測手段と、計測された根の生育状況に応じて植物の栽培条件を制御する制御手段とを有する。
【００５７】
本発明の植物生育管理装置は、前記対比手段や前記警報発生手段をさらに有するものであってもよい。
【００５８】
本発明の植物生育管理装置は、栽培作業者や遠隔地にいる管理者によって、手動で制御手段を起動させるものであってもよい。
【００５９】
本発明の植物生育管理装置は、自動で制御手段が起動されるものであってもよい。
【００６０】
上記データの中でも、撮影データが多種多様な情報を含んでいるので、撮影データに基づく栽培監視、管理装置の実施の形態について次に説明する。
【００６１】
本実施形態では、図７の通り、撮影装置３０で根を撮影し、管理装置３１が撮影画像の解析を行い養液の供給装置（養液装置）３２を制御する。
【００６２】
例えば、撮影装置３０は、透明パネル８を透して根を撮影し、画像データを生成する。撮影装置は、例えばデジタルカメラである。
【００６３】
図８は、管理装置３１の機能を示すブロック図である。管理装置３１は、ＣＰＵ（中央演算処理装置）や、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク等からなる記憶部３３を有したコンピュータである。
【００６４】
記憶部３３は、管理プログラム、根の標準生育データ等を格納している。
【００６５】
管理装置３１のＣＰＵが管理プログラムを実行することで、画像取得部３４、画像解析部３５、及び養液供給量計算部３６の機能が実現される。
【００６６】
画像取得部３４は、撮影装置３０から、根を撮影した画像データを取得する。
【００６７】
画像解析部３５は、画像取得部３４が取得した画像データの解析を行い、撮影された根の量、形状、色等の情報を得る。画像データの各画像は、赤（Ｒ）、緑（Ｇ）、青（Ｂ）それぞれの明るさの数値で表現されており、根の色及びその濃度の情報はこの数値から収集できる。
【００６８】
記憶部３３に格納されている標準データには、植物の種類毎に、標準的に生育が行われた場合の根の量、形状、色等の基準値が生育日数毎に登録されている。
【００６９】
養液供給量計算部３６は、画像解析部３５が特定したデータと、記憶部３３に格納されている標準データとを対比して、生育状況を判断し、養液の供給量や組成、あるいは温度、湿度、光、風量、風向、炭酸ガス濃度、農薬などの制御を行う。また、対比の結果、計測データと標準生育データとの乖離が所定値以上であるときに警報を発生させる警報発生手段を設けてもよい。
【００７０】
上記の制御の一例を挙げると、次の通りである。
【００７１】
ホウレンソウの場合、播種からの日数７日目に根の重量がコントロールと比較し、９５％より小さい場合は、栄養剤を追加する。
【００７２】
ホウレンソウの場合、播種からの日数１８日目〜２１日目（苗テラス育苗１１日間、定植が１１日目として、定植後７日目で根の活着が鮮明になり、１０日目で重量などに差が出てくる）に、重量がコントロールと比較し、９０％より小さい場合、根の色、葉色に異常が無いか目視で確認し、病害であれば撤去し、鉄欠乏であれば鉄を投入する。
【００７３】
植物の種類によらず、前日の気温との差が±１０℃以上変化する場合には、室内の気温をコントロールして差を少なくする。
【００７４】
水温がコントロールと比較して７℃乖離する場合は、冷却器などの故障を確認する。
【００７５】
電気伝導度が設定値より±６以上乖離する場合には、電気伝導度計の汚れを確認し、必要に応じて全養液を交換する。
【００７６】
前日が雪、翌日が晴天など大きな変動がある場合には、葉焼け防止のため遮光する。
【００７７】
ただし、これらは一例であって、本発明はこれらに限定されない。
【００７８】
本発明の植物栽培装置、植物生育監視装置、および植物生育管理装置は、いかなる規模の圃場にも適用されうる。特には、栽培にかかる工数を大幅に軽減でき、少ない人員で広大な圃場を管理することを可能とするため、広さ０．２ｈａ以上の圃場、さらに好ましくは１ｈａ以上、とりわけ２．０ｈａ以上の圃場において適用されることが好ましい。
【符号の説明】
【００７９】
１  定植パネル
２  植え穴
３，３Ａ〜３Ｃ  栽培ベッド槽
４  苗根鉢
７  スペース
８  透明パネル
１０  暗箱
１１  ゾーン
１２  透明パイプ
２０，２１  重量センサ
２６  超音波式計測器
【図１】
2019180272.tif 000003
【図２】
2019180272.tif 000004
【図３】
2019180272.tif 000005
【図４】
2019180272.tif 000006
【図５】
2019180272.tif 000007
【図６】
2019180272.tif 000008
【図７】
2019180272.tif 000009
【図８】
2019180272.tif 000010
【図９】
2019180272.tif 000011
【図１０】
2019180272.tif 000012
【図１１】
2019180272.tif 000013